(57)【要約】【課題】カヌーや車椅子等の乗り物の基体に装着させて、該カヌー等を利用した新規な遊戯を実現し、バラエティに富んだ球投げ入れゲームを楽しめるシュートインゲーム装置を提供する。【解決手段】上方側を開口２０し、内部に球の収容空間を有する球入れ籠部１６と、球入れ籠部１６の開口直上に玉入れ籠部１６に連結状態で立設され横からの球を受けてバウンド球を球入れ籠部１６内に導入させるバウンド壁１８と、を一体的に組み付けてシュート受部１２を構成し、シュート受部１２に一端を連結し他端を基体に着脱可能に連結される支持杆３２を介してシュート受部１２を基体に着脱可能に連結支持させる着脱支持機構１４を備えたことを特徴とするシュートインゲーム装置１０から構成される。【選択図】図１
2008307139.tif 000002
【特許請求の範囲】
【請求項１】
基体に取り付けられるシュートインゲーム装置であって、
上方側を開口し、内部に球の収容空間を有する球入れ籠部と、
球入れ籠部の開口直上に玉入れ籠部に連結状態で立設され横からの球を受けてバウンド球を球入れ籠部内に導入させるバウンド壁と、を一体的に組み付けてシュート受部を構成し、
シュート受部に一端を連結し他端を基体に着脱可能に連結される支持杆を介してシュート受部を基体に着脱可能に連結支持させる着脱支持機構を備えたことを特徴とするシュートインゲーム装置。
【請求項２】
バウンド壁は両側に表裏面を有する１つの縦壁であり、
バウンド壁に一端を連結された１つの支持杆によりバウンド壁と球入れ籠部とを支持することを特徴とする請求項１記載のシュートインゲーム装置。
【請求項３】
球入れ籠部は、縁枠と、縁枠の内側において上面を開口しつつ一部を下方に垂れる収容垂れ部と、を含み、
バウンド壁の支持杆下部が収容垂れ部の中央部を貫通して下端側を基体に着脱可能に取り付けられるとともに、縁枠をバウンド壁に固定することにより球入れ籠部とバウンド壁とを一体的に組み付けることを特徴とする請求項２記載のシュートインゲーム装置。
【請求項４】
着脱支持機構は、一端側がシュート受部と連結し縦に配置される支持杆と、基体の一部に固定されて支持杆を上方から挿脱自在に受け入れる受筒と、を備えて成ることを特徴とする請求項１ないし３のいずれかに記載のシュートインゲーム装置。
【請求項５】
球入れ籠部及び／又はバウンド壁は、縁枠とネット部材で構成されたことを特徴とする請求項１ないし４のいずれかに記載のシュートインゲーム装置。
【請求項６】
バウンド壁と支持杆は１つの柄付きネットからなるとともに、球入れ籠部は、該柄付きネットの縁枠が形成する面に交差する面を形成するように柄付きネットの縁枠にその縁枠を固定させた柄なしネットからなることを特徴とする請求項５記載のシュートインゲーム装置。
【発明の詳細な説明】
【技術分野】
【０００１】
本発明は、カヌーや小型帆船等の船、車椅子、自転車、その他任意の基体に取付けられるシュートインゲーム装置に関する。
【背景技術】
【０００２】
例えば、カヌー等のパドルを介して操作する船は、古くから川、湖、海等の水上の交通手段や貨物運搬手段として利用されてきたが、近時では、水上ツーリング、急（激）流下り等の水上遊戯やスポーツ競技等、趣味・レジャーとして用いられる場合も多くなり、水や周辺の自然と触れ合う機会を楽しめるツールとして知られている。しかしながら、水上では危険を伴うことも多いため、特に子供や初心者等は、場所や操作パターンが限られてしまって単調なものとなり、飽きてくる場合があった。よって、楽しく遊びながらカヌー操作の学習や技術向上も図れるような新規な遊戯が望まれている。
【０００３】
一方、特許文献１には、例えば、地上や床等の予め定めた位置にボールを投げ入れる籠を設置する遊戯用球技具が開示されている。球技具は、基台（１）に、３本の支柱（２）を設け、支柱に水平に輪部（６）を設け、該輪部にボールを投げ入れ用の底なしの網籠（５）を装着し、該輪部（６）の上部には輪部の中心で連結される３本の弧状の枠（７ｂ）を設け、これらの各枠には輪部の中心よりそれぞれ３分割した網体（７ａ）を張設して構成されている。そして、例えば、球技具を地面や床上に設置して、大勢の人数が１つの球技具に向けてボールを投げて競い合うものが提案されている。
【特許文献１】特開２００６−２６２２１号公報
【発明の開示】
【発明が解決しようとする課題】
【０００４】
しかしながら、特許文献１の球技具では、仮に、球技具を水に浮かべるとしても、網籠の位置が全く又はほとんど変わらないため、水球のような球技としてそれなりにゲームできるものの、遊戯のバリエーションとしては限られてしまうものであった。特に、輪部の中心より３分割して網体を設けているのでボールが籠の中に入りにくい構造となっており、例えば、遠隔位置から投げる場合にはボールがほとんど又は全く入らなくなるおそれが高く、面白味の少ないものであった。また、特許文献１の球技具では、網（７ａ）を張設する弧状の枠（７ｂ）の端部が輪部（６）に連結されているだけなので、投げられたボールが網に当たると、弧状の枠の端部と輪部との接続部分に負荷が大きくかかるため、比較的壊れやすかった。よって、それぞれある程度強度の高い材質及び接続構造を必要とするとともに、基台の安定重量化及び籠を支持するために複数本の支柱を必要として、構造が複雑で重量化及び大型化していた。したがって、パドル操作するカヌー等の比較的不安定になりやすい小船に取付けることは現実的には困難ないし不可能であり、安定した地面や床上等に設置させるにとどまるものであった。
【０００５】
本発明は上記従来の課題に鑑みてなされたものであり、その一つの目的は、自在に操作するカヌーやヨット等の船や車椅子等の基体に装着させて、新規な遊戯を実現し、バラエティに富んだ球投げ入れゲームを楽しめるシュートインゲーム装置を提供することにある。さらに、他の目的は、簡単かつ軽量な構造でありながら、強固な構造のシュートインゲーム装置を提供することにある。
【課題を解決するための手段】
【０００６】
上記課題を解決するために本発明は、基体（Ｋ）に取り付けられるシュートインゲーム装置であって、上方側を開口２０し、内部に球の収容空間２２を有する球入れ籠部１６と、球入れ籠部１６の開口２０直上に玉入れ籠部１６に連結状態で立設され横からの球Ｓを受けてバウンド球を球入れ籠部１６内に導入させるバウンド壁１８と、を一体的に組み付けてシュート受部１２を構成し、シュート受部１２に一端を連結し他端を基体（Ｋ）に着脱可能に連結される支持杆３２を介してシュート受部１２を基体（Ｋ）に着脱可能に連結支持させる着脱支持機構１４を備えたことを特徴とするシュートインゲーム装置１０から構成される。球入れ籠部１６は、収容空間２２の側面及び底面側を閉鎖するものでもよいが、例えばカヌー等の船に取付ける際には、水が抜ける多数の孔が形成されたものや通水性があるものの方が球入れ籠部内に水が溜まらずカヌーＫ等の船の操作性を損なわないので好適である。球入れ籠部１６の形状は任意でよく、例えば、開口の形状が円形、楕円形、多角形状等その他任意形状のものでもよい。バウンド壁１８の形状は、例えば、円形、半円形、多角形状等その他任意の形状でよい。
【０００７】
また、バウンド壁１８は両側に表裏面（３６）を有する１つの縦壁であり、バウンド壁１８に一端を連結された１つの支持杆３２によりバウンド壁１８と球入れ籠部１６とを支持することとしてもよい。
【０００８】
また、球入れ籠部１６は、縁枠２４と、縁枠２４の内側において上面を開口２０しつつ一部を下方に垂れる収容垂れ部２６と、を含み、バウンド壁１８の支持杆３２下部が収容垂れ部２６の中央部を貫通して下端側を基体（Ｋ）に着脱可能に取り付けられるとともに、縁枠２４をバウンド壁１８に固定することにより球入れ籠部１６とバウンド壁１８とを一体的に組み付けることとしてもよい。
【０００９】
また、着脱支持機構１４は、一端側がシュート受部１２と連結し縦に配置される支持杆３２と、基体（Ｋ）の一部に固定されて支持杆３２を上方から挿脱自在に受け入れる受筒４０と、を備えて成ることとしてもよい。受筒４０は、基体に応じて適宜取付け態様を選択すればよい。例えば、その一部をカヌーＫやヨット等の船体に埋め込み状に配置させてもよく、フランジ等を介して船のデッキＤ上に立設させてもよい。また、受筒は、車椅子や自転車等のフレームや荷台等に装着するホルダ等を備えてもよい。
【００１０】
また、球入れ籠部１６及び／又はバウンド壁１８は、縁枠とネット部材で構成されたこととしてもよい。縁枠は、例えば、金属や硬質樹脂等の強度の高い素材から形成されるとよい。
【００１１】
バウンド壁１８と支持杆３２は１つの柄付きネット３３からなるとともに、球入れ籠部１６は、該柄付きネット３３の縁枠３４が形成する面に交差する面を形成するように柄付きネットの縁枠３４にその縁枠２４を固定させた柄なしネット２３からなることとしてもよい。
【発明の効果】
【００１２】
本発明のシュートインゲーム装置によれば、基体に取り付けられるシュートインゲーム装置であって、上方側を開口し、内部に球の収容空間を有する球入れ籠部と、球入れ籠部の開口直上に玉入れ籠部に連結状態で立設され横からの球を受けてバウンド球を球入れ籠部内に導入させるバウンド壁と、を一体的に組み付けてシュート受部を構成し、シュート受部に一端を連結し他端を基体に着脱可能に連結される支持杆を介してシュート受部を基体に着脱可能に連結支持させる着脱支持機構を備えたことから、着脱支持機構を介して例えば、自由に移動できるカヌー等の船や車椅子等の基体に取付けられるので、シュートターゲットとなるシュート受部が基体とともに一体的に移動し、従来のように単に定位置においたゴールを狙うよりも、面白さ、醍醐味を含むゲーム性の高いゲームを期待できるとともに、バラエティに富んだゲームを行え、初心者から上級者まで幅広く、新規な球投げ入れゲームを楽しむことができる。また、ゲームを楽しみながらカヌー等の操作技術の向上を図ることができる。一方で、シュートインゲーム装置を基体から取外すことができるので、例えば、カヌーでのツーリングや車椅子、自転車等での通常走行等の通常の態様で基体を利用する際には、該シュートインゲーム装置が邪魔になることがない。
【００１３】
また、バウンド壁は両側に表裏面を有する１つの縦壁であり、バウンド壁に一端を連結された１つの支持杆によりバウンド壁と球入れ籠部とを支持することから、バウンド壁で横からの球を受けやすいうえ、かつ籠部の開口を狭く制限しないので、球が入りやすく高いゲーム性を期待できる。また、部材点数が少なく、簡単な構造で製造できる。さらに、投げられた球から受けるバウンド壁の衝撃は基体に支持される支持杆に伝達されるのでバウンド壁の支持強度が高く、壊れにくい。
【００１４】
また、球入れ籠部は、縁枠と、縁枠の内側において上面を開口しつつ一部を下方に垂れる収容垂れ部と、を含み、バウンド壁の支持杆下部が収容垂れ部の中央部を貫通して下端側を基体に着脱可能に取り付けられるとともに、縁枠をバウンド壁に固定することにより球入れ籠部とバウンド壁とを一体的に組み付けることから、縁枠をバウンド壁に固定しているので別途に球入れ籠部の支持杆以外の支持部材を必要とせず、簡単な構成で強度のあるシュート受部を製造できる。特に、球からバウンド壁が受ける衝撃は基体に支持される支持杆に伝達されるので、バウンド壁と球入れ籠部の縁枠との固定部分にかかる負荷が少なく、全体的に強固な構造を具現できる。
【００１５】
また、着脱支持機構は、一端側がシュート受部と連結し縦に配置される支持杆と、基体の一部に固定されて支持杆を上方から挿脱自在に受け入れる受筒と、を備えて成ることから、簡単な構成で、例えば、既製のカヌーやヨット等の船や、車椅子、自転車等の基体の一部を必要に応じて簡単に加工するだけで着脱支持機構を具現でき、確実にシュート受部を基体に連結支持することができる。さらに、受筒に対して支持杆を挿脱するだけの簡単な着脱操作で、シュート受部を基体に対して着脱操作でき、使い勝手がよい。
【００１６】
また、球入れ籠部及び／又はバウンド壁は、縁枠とネット部材で構成されたことから、簡単な構造で、低コストで製造することができる。また、軽量であり、水が溜まることもなく、風の影響等も受けにくいので、カヌー等の船や車椅子、自転車等の基体の操作に悪影響を及ぼしにくい。
【００１７】
バウンド壁と支持杆は１つの柄付きネットからなるとともに、球入れ籠部は、該柄付きネットの縁枠が形成する面に交差する面を形成するように柄付きネットの縁枠にその縁枠を固定させた柄なしネットからなることから、例えば、既製の柄付きネットと柄なしネットとを一体的に組み付けるだけで、簡単にシュート受部を構成することができ、装置を低コストで製造することができる。
【発明を実施するための最良の形態】
【００１８】
以下添付図面を参照しつつ本発明のシュートインゲーム装置について説明する。本発明のシュートインゲーム装置は、パドルを介して操作するカヌーやヨット等の船や車椅子、自転車等の乗り物、その他任意の基体に取付けて陸上または水上等での新規でバリエーションに富んだ球投げ入れゲームを行えるゲーム装置である。図１ないし図７は、本発明のシュートインゲーム装置の一実施形態を示している。本実施形態において、シュートインゲーム装置１０は、図１に示すように、シュート受部１２と、シュート受部１２を基体に連結支持させる支持機構と、を備えている。本実施形態では、支持機構は、シュート受部１２を基体に対して着脱可能に連結支持させる着脱支持機構１４からなる。
【００１９】
本実施形態では、シュートインゲーム装置１０を取付ける基体としては、図１に示すように、例えば、デッキが閉鎖され、人が乗り込むコックピット部分を開口して設けられたクローズドデッキタイプのカヌー（カヤック）Ｋの場合について説明する。本実施形態では、カヌーＫは、例えば、木製、ＦＲＰ（Fiber Reinforced Plastics）等を加工して形成され、１人乗り用として構成されている。本実施形態では、例えば、カヌーＫの後方（スターン）側Ｒの船体上面側デッキＤにシュートインゲーム装置１０が一体的に連結されている。そして、例えば、相手側のカヌーに取付けられたシュートインゲーム装置１０に向けて球Ｓを投げ入れて競い合うことができる。なお、シュートインゲーム装置１０を１台のカヌーＫの複数個取り付けることとしてもよく、例えば、前方側（バウ）Ｆと後方側（スターン）Ｒにそれぞれ取付けてもよい。また、上記のカヌーに限らず、例えば、その他のタイプのカヌー、ディンギータイプのヨット（小型帆船）等の種々のタイプの船に取付けてもよい。また、シュートインゲーム装置１０は船に限らず、車椅子や自転車、その他移動体、構造体等、その他任意の基体に取付けてもよい。
【００２０】
図１、図２、図３に示すように、シュート受部１２は、球入れ籠部１６と、バウンド壁１８と、を一体的に組み付けて構成されている。シュート受部１２は、球Ｓが投げ入れられる一種の的又はゴール様のターゲット部である。なお、本実施形態では、シュートインゲーム装置１０に投げ入れられる球Ｓは、例えば、比較的柔らかい素材で水に浮ぶゴムボール等が用いられる。
【００２１】
図２、図３、図４に示すように、球入れ籠部１６は、上方側を開口２０し、内部に該開口２０から連続する球Ｓの収容空間２２を有する。本実施形態では、球入れ籠部１６は、縁枠２４と、該縁枠２４の内側において上面を開口２０しつつ一部を下方に垂れる収容垂れ部２６と、を含む。縁枠２４は、例えば、ステンレス等の金属線部材からなり、平面視円環形に設けられている。収容垂れ部２６は、糸や合成樹脂製の糸を編んで形成された任意のメッシュ孔の可撓性ネット部材からなる有底籠状の収容部であり、中央部を下部に向けて垂れ下げた状態で上方側を縁枠２４に連結されている。すなわち、球入れ籠部１６は、縁枠とネット部材で構成された柄なしネット２３からなる。なお、収容垂れ部を構成するネットのメッシュ孔の大きさは球を通過させない任意の大きさに設定される。収容垂れ部２６は、開口２０に連続する中空の収容空間２２内部に上面側の開口２０から投げ入れられた球Ｓを収容保持する。さらに、図５、図６にも示すように、収容垂れ部２６の下方に垂れた底部の略中央には、縦に貫通した貫通孔２８を形成する円環状のリング部３０が設けられている。この貫通孔２８に後述の支持杆が貫通される。
【００２２】
図５、図６、図７に示すように、バウンド壁１８は、球入れ籠部１６の開口２０直上に立設され横からの球Ｓを受けてバウンド球を球入れ籠部１６内に導入させる。本実施形態では、バウンド壁１８は、左右両側に表裏面を有する１つの縦壁からなり、球入れ籠部１６の円形の縁枠２４の略中央位置、すなわち直径に沿った位置に横切るように球入れ籠部１６と連結状態で立設配置されている。よって、２面の壁面で球Ｓを受けやすいとともに、球入れ籠部１６の上面側開口２０は２分割された２つの半円開口となっており、該バウンド壁１８によるバウンド球が球入れ籠部１６内へ比較的入りやすいようになっている。本実施形態では、図１に示すように、バウンド壁１８の表裏面（３６）は、カヌーＫの両側面側を向くように設定されている。なお、例えば、バウンド壁１８の表裏面がカヌーの前後方向に向くように設定されていても良く、その他任意の向きに設定されていてもよい。また、支持杆を縦軸周りに回転させて壁面を任意の向きに変更できるようにしても良い。図５、図８に示すように、本実施形態では、バウンド壁１８には、縦に配置される１つの支持杆３２の上端部３２ａ側が連結されており、該１つの支持杆３２によりバウンド壁１８と該バウンド壁１８に連結された球入れ籠部１６と支持しつつ、該支持杆３２の下端部３２ｂ側を介してカヌーＫの船体に着脱可能に連結される。すなわち、支持杆３２は、着脱支持機構１４の一部を構成している。
【００２３】
本実施形態では、バウンド壁１８と支持杆３２は、例えば、１つの柄付きネット３３からなる。具体的には、バウンド壁１８は、縁枠３４と、縁枠３４の内側に張設されるネット部材からなる壁面３６と、から構成されるとともに、縁枠３４の下部側略中央に支持杆３２の一端３２ａが連結固定されてラケットのように構成されている。バウンド壁１８の縁枠３４は、例えば、ステンレス等の金属線からなり、球入れ籠部１６の縁枠２４と略同じ径かやや大きな径の立面視円環形状に形成されている。壁面３６は、例えば、糸や合成樹脂製の糸を編んで形成された任意のメッシュのネット部材を張設して表裏面を形成されている。本実施形態では、バウンド壁１８の縁枠３４と球入れ籠部１６の縁枠２４とは直交しているとともに、バウンド壁１８の縁枠３４の円弧状の下部側の一部を収容垂れ部２６内に収容しつつ、バウンド壁の縁枠３４と球入れ籠部１６の縁枠２４どうしが接する部分を連結固定部３８として、例えば溶接等の固定手段で連結固定されている。すなわち、バウンド壁１８の壁面３６が下部側の一部を球入れ籠部１６の開口２０から収容空間２２内に入れつつ、該バウンド壁の壁面３６と、球入れ籠部１６の縁枠２４が形成する開口２０を含む面と、が直交するように交差している。バウンド壁１８を構成するネットのメッシュ孔の大きさは球Ｓを通過させない任意の大きさに設定される。なお、バウンド壁１８は、壁面３６を形成しているネット部材に換えて、縁枠３４にキャンバス生地等の布地や板材を張設して構成してもよい。また、バウンド壁１８は、後述のように、例えば、袋状カバー部材６０で構成してもよい。バウンド壁１８は例えばネット部材のようにバウンド球の跳ね返り力をある程度弱めるような緩衝壁面で設けておくとバウンド球が球入れ籠部内に入りやすい。また、バウンド壁１８は、例えば枠縁３４の下部側を直線状に形成し球入れ籠部の縁枠２４上に架設状に配置させて、壁面全体が球入れ籠部よりも上方に配置されるように形成しても良い。支持杆３２は、例えば、ステンレス等の金属又は木製や硬質樹脂等の強度の高い素材で形成された断面円形の杆部材からなり、縦方向に長手方向を向けて配置され、その上端部３２ａを円環形状の縁枠３２に連結固定されつつ、収容垂れ部１６の中央部に設けられた貫通孔２８を貫通して、その下端部３２ｂを船体側へ長く延長し、該下端部３２ｂを船体側への着脱可能に取付けられている。
【００２４】
すなわち、１つの支持杆３２によりバウンド壁１８をカヌーＫ船体に支持するとともに、バウンド壁１８の縁枠３４に球入れ籠部１６の縁枠２４が連結固定部３８により固定されて球入れ籠部１６とバウンド壁１８とが一体的に組み付けられており、１つの支持杆３２によりバウンド壁１８と球入れ籠部１６とを支持している。すなわち、支持杆３２に支持されたバウンド壁１８を介して間接的に球入れ籠部１６が船体に支持される態様となっている。さらに、本実施形態では、上述のようにバウンド壁１８と支持杆３２とを構成する１つの柄付きネット３３と球入れ籠部１６を構成する１つの柄なしネット２３とを、柄付きネット３３の壁面３６と球入れ籠部１６の縁枠２４が形成する面とを直交状に交差させて、柄付きネット３３の縁枠３４に柄なしネット２３の縁枠２４を連結固定部３８で連結固定させて一体的に組み付けられている。これにより、簡単な構成でシュート受部及び着脱支持機構を構成でき、低コストで製造することができる。なお、玉入れ籠部１６とバウンド壁１８とは着脱可能に連結される構成としてもよい。また、球入れ籠部１６の支持杆３２を貫通させる貫通孔２８は、リング部によって形成するものに限らず、例えば、ネット部材のメッシュ孔の１つを利用したり、ネット部材の一部を切欠いたりして形成してもよい。
【００２５】
図２、図６、図８に示すように、着脱支持機構１４は、バウンド壁１８に一体的に連結された支持杆３２を介してシュート受部１２を船体に着脱可能に連結支持させる連結支持手段である。シュートインゲーム装置を着脱可能とすることにより、必要に応じてシュートインゲーム装置１０をカヌーＫに取り付けて球投げ入れ遊戯を楽しめるとともに、不要時にはシュートインゲーム装置１０をカヌーＫから取り外すことができ、該装置が邪魔になることなく通常のカヌーとして利用することができる。本実施形態では、着脱支持機構１４は、上述の一端側３２ａがバウンド壁１８の縁枠３４と連結し縦に配置される支持杆３２と、船体の一部に固定されて支持杆３２を上方から挿脱自在に受け入れる受筒４０と、を備えている。受筒４０は、ステンレス等の金属又は硬質樹脂製で横断面円形状の縦長中空円筒管からなり、その内径の大きさが支持杆３２の外径と略同じかわずかに大きく形成され、上端を開口し、下端を閉鎖している。受筒４０の上端よりやや下方位置には、該受筒４０をカヌーＫのデッキに取付けるためのフランジ４１が一体的に設けられている。受筒４０は、予めカヌー船体のデッキＤに穿穴した穴にフランジ４１より下部側を挿し込んで、フランジ４１をデッキＤ上面に当着させた状態で、ボルトや接着剤等の任意の固定手段を介して船体側に連結固定されている。本実施形態では、受筒４０のデッキＤよりも上方に突設する部分の長さが比較的小さく設定されており、支持杆３２を外した際に邪魔にならないようになっている。受筒４０の上端部側には支持杆３２の固定手段として蝶ネジ４２が捩じ込み式に取り付けられている。支持杆３２の下端部３２ｂを挿し入れた状態で横方向に蝶ネジ４２を締めると、支持杆３２の抜脱を規制するとともに軸周り回転を規制している。これにより、支持杆３２が簡単に抜けず、シュート受部１２の取付け状態を確実に保持する。一方、蝶ネジ４２を緩めると支持杆３２を受筒４０から自在に挿脱可能な状態となり、簡単にシュート受部１２を取り外すことができる。
【００２６】
また、図２、図３に示すように、収容垂れ部２８の下部中央で支持杆３２の貫通孔２８を形成しているリング部３０には複数の短冊状の細長い金属片４４が索条４６を介して吊支されている。これらの金属片４４は、例えば、収容垂れ部２８の収容空間２２内に球Ｓが入ると、その落下衝撃等により揺れて互いに衝突しあい音を発するようになっており、カヌー操者自身が見えにくいカヌー後部側Ｒにシュートインゲーム装置を取付けても、収容垂れ部内に球Ｓが投げ入れられたか等を音である程度判断できる。なお、金属片４４に換えて、鈴やその他音が鳴るものを取り付けてもよい。
【００２７】
次に、本実施形態に係るシュートインゲーム装置１０の作用を説明する。例えば、シュートインゲーム装置をそれぞれのカヌーＫに取付ける際には、カヌー後方側Ｒに固定された受筒４０にシュート受部１２に一体的に連結された支持杆３２の下部側を挿し入れて蝶ネジ４２を介して固定する。図１０に示すように、各プレイヤはカヌーに１個ないし複数個のゴムボール等の球Ｓを持って乗り込み、パドルを介して操作しながら、相手プレイヤのカヌーＫに取付けられたシュート受部１２に向けて球を投げ入れあう。この際、球入れ籠部１６及びバウンド壁１８は縁枠とネット部材とで構成されるので、装置全体が軽量であるとともに風等の影響を受けにくく、本装置１０をカヌーＫに取り付けてもカヌーの操作性に悪影響を及ぼしにくい。図７に示すように、バウンド壁１８の壁面に向けて球Ｓを投げると、バウンド壁１８にバウンドした球が球入れ籠部１６内に収容される。例えば、該球入れ籠部１６内に投げ入れられた球の個数等を競い合う。ターゲットとなるシュートインゲーム装置１０がカヌーとともに一体的に移動するので、従来のように単に定位置においた球入れ籠を狙うよりも、面白さ、醍醐味を含むゲーム性の向上を期待できる。さらに、個人対戦形式としてもよいし、何人かでチームを組んでチーム対戦形式としてもよく、その他バラエティに富んだゲームを行え、初心者から上級者まで幅広く、カヌーを利用した球入れ遊戯を楽しむことができる。さらに、ゲームを楽しみながらカヌーの操作技術の向上を図ることができる。また、バウンド壁１８はカヌー船体に連結支持される支持杆３２に直接連結されているので、球の衝撃に対する耐久性が高く、例えば、バウンド壁１８と球入れ籠部１６との連結固定部３８等の局所的な部位に大きな負荷がかからず壊れにくい。一方、カヌーでツーリングや急流下り等を行う際には、蝶ネジ４２を緩めて支持杆３２を受筒４０から離脱させるだけでシュートインゲーム装置１０をカヌーＫの船体から簡単に取外すことができ、該シュートインゲーム装置が邪魔になることなく通常のカヌーとして利用できる。
【００２８】
なお、図１０には、バウンド壁１８の変形例を適用する態様を示している。図１０に示すように、この実施形態では、バウンド壁１８は、縁枠３４と、縁枠３４に着脱自在に装着される袋状カバー部材５０と、から構成される。袋状カバー部材５０は、一部に挿入口５２を有するように壁面を形成する２枚の布体５４ａ、５４ｂを重ね合わせて接合して設けられており、挿入口５２から開いて縁枠３４に被せて装着して横からの球を受ける壁面３６を形成する。布体５４ａ、５４ｂには、例えば、種々のマーク、模様、図形、色、文字、記号、キャラクター等が記載されており、個別のカヌー又は敵味方のカヌーを識別する際に一種の旗となる。これにより、マーク等の異なる種々の袋状カバーを簡単に着脱して自在に変更できる。袋状カバー部材５０は、例えば縁枠３４の略円環形状に合わせて円形状の２枚の布体５４ａ、５４ｂを重ねて、外縁部の上部側略半円部分を逢着５６し、下部側略半円部分を逢着せず挿入口５２として扁平袋状に形成されている。また、布体５４ａ、５４ｂの下部側には、紐通し用孔５８が穿孔されており、袋状カバー部材５０を縁枠３４に装着した際に紐を結んで縁枠３４に対して該袋状カバー部材を固定できる。なお、２枚の布体５４ａ、５４ｂにボタンやフック等の固定具を取り付けて袋状カバー部材の縁枠３４からの離脱を防止するようにしてよい。図１０では、縁枠３４の内側にネット部材が張設されており、袋状カバー部材５０を離脱してバウンド壁面３６をネット部材とする態様と、袋状カバー部材５０を装着して壁面３６を種々のマーク等が付された布体による態様と、に手軽に変更できるようになっている。なお、縁枠３４の内側にネット部材を張設しなくてもよい。
【００２９】
また、図１１、図１２は、シュートインゲーム装置１０を車椅子のハンドルに取り付けた実施形態を示しているが、上記実施形態と同一部材には同一符号を付し、その詳細な説明を省略する。図１１、図１２に示すように、着脱支持機構１４の構成が上記実施形態と異なっており、例えば、車椅子のハンドルＨに着脱可能に取り付ける構成となっている。支持杆３２を受ける受筒４０の側方に、車椅子のハンドルＨへの取付用ホルダ６０が一体的に接続されている。ホルダ６０は、ハンドルＨの直線フレーム部分に着脱可能に装着する構成となっており、例えば、受筒４０に固定された固定片６０ａと、該固定片６０ａに対して可動するように連結された可動片６０ｂを含み、それらの対向内側にハンドルＨを挟装する円弧状曲面が形成されている。そして、該固定片６０ａ，可動片６０ｂでハンドルＨを挟んだ状態で、固定片、可動片の横方向に曲折突出した部分を蝶ネジ６２により螺合連結して、受筒４０がハンドルＨへ固定される。シュートインゲーム装置１０を車椅子に取り付けることで、車椅子を利用したバラエティに富んだ球入れ遊戯を楽しむことができる。なお、ハンドルへの取付用ホルダ６０の構成は任意でよい。また、例えば、受筒４０の構成を基体に対応して取付け構成を設計すればよく、自転車の荷台やその他任意の基体へも簡単に取付けることができる。
【００３０】
以上説明した本発明のシュートインゲーム装置は、上記した実施形態のみの構成に限定されるものではなく、特許請求の範囲に記載した本発明の本質を逸脱しない範囲において、任意の改変を行ってもよい。
【産業上の利用可能性】
【００３１】
本発明のシュートインゲーム装置は、例えば、カヌーやディンギータイプの小型帆船等の船、自転車、車椅子等の乗り物、その他任意の基体に取り付けて適用され、互いに球を投げ入れ合うゲームを楽しむことができる。
【図面の簡単な説明】
【００３２】
【図１】本発明の本実施形態に係るシュートインゲーム装置をカヌー等に取り付けた状態を示す概略側面図である。
【図２】図１シュートインゲーム装置の正面図である。
【図３】図１のシュートインゲーム装置の側面図である。
【図４】図１シュートインゲーム装置の平面図である
【図５】図２のＡ−Ａ線断面図である。
【図６】図１のシュートインゲーム装置の一部省略斜視図である。
【図７】作用説明図である。
【図８】図１のシュートインゲーム装置の分解図である。
【図９】図１シュートインゲーム装置をカヌー等に取り付けた球投げ入れゲームの一例を示す概略説明図である。
【図１０】バウンド壁の変形例を示す要部説明図である。
【図１１】シュートインゲーム装置を車椅子のハンドルに取り付けた実施形態の要部側面図である。
【図１２】図１１のＢ−Ｂ線断面図の受筒部分の説明図である。
【符号の説明】
【００３３】
１０    シュートインゲーム装置
１２    シュート受部
１４    着脱支持機構
１６    球入れ籠部
１８    バウンド壁
２０    開口
２２    収容空間
２４    縁枠
２６    収容垂れ部
３２    支持杆
３４    縁枠
４０    受筒
Ｋ    カヌー
Ｓ    球
【図１】
2008307139.tif 000003
【図２】
2008307139.tif 000004
【図３】
2008307139.tif 000005
【図４】
2008307139.tif 000006
【図５】
2008307139.tif 000007
【図６】
2008307139.tif 000008
【図７】
2008307139.tif 000009
【図８】
2008307139.tif 000010
【図９】
2008307139.tif 000011
【図１０】
2008307139.tif 000012
【図１１】
2008307139.tif 000013
【図１２】
2008307139.tif 000014